(57)【特許請求の範囲】
【請求項１】
ページの境界を特定するページボックスをページ領域毎に設定する面付け装置であって、
前記ページ領域の中から特定の線成分として、前記ページ領域の水平方向又は垂直方向に沿って延びる線成分を複数抽出する線成分抽出部と、
前記線成分抽出部により抽出された各前記特定の線成分の中から、位置決めマークに含まれ、且つ、２つの前記特定の線成分を構成する第１端点同士又は第２端点同士を結ぶ直線と前記水平方向とのなす角が４５度の位置関係にある線成分のペアを少なくとも１組決定する線成分ペア決定部と、
前記線成分ペア決定部により決定された各前記線成分のペアの形状に基づいて前記位置決めマークの標示位置を推定する標示位置推定部と、
前記標示位置推定部により推定された前記標示位置を前記ページボックスの位置情報として、前記ページ領域と対応付けて取得するボックス位置取得部と
を備えることを特徴とする面付け装置。
【請求項２】
請求項１記載の面付け装置において、
前記線成分ペア決定部は、更に、２つの前記第１端点同士又は２つの前記第２端点同士の間の距離が閾値を下回る場合に前記線成分のペアとして決定することを特徴とする面付け装置。
【請求項３】
請求項１又は２に記載の面付け装置において、
前記線成分ペア決定部は、２つの前記特定の線成分が互いに平行である前記線成分のペアを決定することを特徴とする面付け装置。
【請求項４】
請求項１又は２に記載の面付け装置において、
前記線成分ペア決定部は、２つの前記特定の線成分が互いに垂直である前記線成分のペアを決定することを特徴とする面付け装置。
【請求項５】
請求項１〜４のいずれか１項に記載の面付け装置において、
前記ボックス位置取得部は、裁ち落とし領域及び／又は仕上がり領域を特定する前記ページボックスの前記位置情報を取得することを特徴とする面付け装置。
【請求項６】
ページの境界を特定するページボックスをページ領域毎に設定する面付け方法であって、
前記ページ領域の中から特定の線成分として、前記ページ領域の水平方向又は垂直方向に沿って延びる線成分を複数抽出する抽出ステップと、
抽出された各前記特定の線成分の間の中から、位置決めマークに含まれ、且つ、２つの前記特定の線成分を構成する第１端点同士又は第２端点同士を結ぶ直線と前記水平方向とのなす角が４５度の位置関係にある線成分のペアを少なくとも１組決定する決定ステップと、
決定された各前記線成分のペアの形状に基づいて前記位置決めマークの標示位置を推定する推定ステップと、
推定された前記標示位置を前記ページボックスの位置情報として、前記ページ領域と対応付けて取得する取得ステップと
をコンピュータに実行させることを特徴とする面付け方法。
【請求項７】
ページの境界を特定するページボックスをページ領域毎に設定するための面付けプログラムであって、
前記ページ領域の中から特定の線成分として、前記ページ領域の水平方向又は垂直方向に沿って延びる線成分を複数抽出する抽出ステップと、
抽出された各前記特定の線成分の中から、位置決めマークに含まれ、且つ、２つの前記特定の線成分を構成する第１端点同士又は第２端点同士を結ぶ直線と前記水平方向とのなす角が４５度の位置関係にある線成分のペアを少なくとも１組決定する決定ステップと、
決定された各前記線成分のペアの形状に基づいて前記位置決めマークの標示位置を推定する推定ステップと、
推定された前記標示位置を前記ページボックスの位置情報として、前記ページ領域と対応付けて取得する取得ステップと
をコンピュータに実行させることを特徴とする面付けプログラム。
【発明の詳細な説明】
【技術分野】
【０００１】
この発明は、ページの境界を特定するページボックスをページ領域毎に設定する面付け装置、方法及びプログラムに関する。
【背景技術】
【０００２】
近時、印刷製版の分野において、中間成果物を生成せずに電子データから刷版を直接形成するＣＴＰ（Computer To Plate）が普及している。そこで、デザイナが情報処理端末を用いてコンテンツを創作した後、電子データとして印刷会社側に提供するケースが増加している。例えば、ページ記述データの一種であるＰＤＦ（Portable Document Format）ｖｅｒｓｉｏｎ１．３には、プリプレス制作ワークフローを支援するため、ページの境界を定義するパラメータである「ページボックス」が５種類定義されている。印刷会社に属する作業者は、電子的な面付け作業を実行する際に、この「ページボックス」を利用することができる。
【先行技術文献】
【非特許文献】
【０００３】
【非特許文献１】ＰＤＦリファレンス  第２版、  Ａｄｏｂｅ  Ｐｏｒｔａｂｌｅ  Ｄｏｃｕｍｅｎｔ  Ｆｏｒｍａｔ  Ｖｅｒｓｉｏｎ１．３、２００８年１１月２０日初版第５刷発行、著者；アドビシステムズ、発行所；株式会社ピアソン・エデュケーション、ＩＳＢＮ４−８９４７１−３３８−１、４５２−４５４ページ等参照
【発明の概要】
【発明が解決しようとする課題】
【０００４】
ところで、ページボックスは、ページ領域に配置されるコンテンツ（描画の形態）とは別の、独立したパラメータの一種である。そのため、不知のデザイナがページボックスを設定することなく入稿する場合、情報処理端末の動作環境によってページボックスの設定ができない場合等に、印刷に適した設定値が入力されないことになる。この場合、電子データを受け取った作業者は、ページボックスの設定値をその都度に修正する必要があり、煩に堪えなかった。
【０００５】
本発明は上記した課題を解決するためになされたものであり、ページボックスを自動的に且つ精度よく設定可能な面付け装置、方法及びプログラムを提供することを目的とする。
【課題を解決するための手段】
【０００６】
本発明に係る面付け装置は、ページの境界を特定するページボックスをページ領域毎に設定する装置であって、上記ページ領域の中から特定の線成分として、上記ページ領域の水平方向又は垂直方向に沿って延びる線成分を複数抽出する線成分抽出部と、上記線成分抽出部により抽出された各上記特定の線成分の中から、位置決めマークに含まれ、且つ、２つの上記特定の線成分を構成する第１端点同士又は第２端点同士を結ぶ直線と上記水平方向とのなす角が４５度の位置関係にある線成分のペアを少なくとも１組決定する線成分ペア決定部と、上記線成分ペア決定部により決定された各上記線成分のペアの形状に基づいて上記位置決めマークの標示位置を推定する標示位置推定部と、上記標示位置推定部により推定された上記標示位置を上記ページボックスの位置情報として、上記ページ領域と対応付けて取得するボックス位置取得部とを備える。
【０００７】
このように、各特定の線成分の間の位置関係に基づいて、位置決めマークに含まれる線成分のペアを少なくとも１組決定し、各線成分のペアの形状に基づいて位置決めマークの標示位置を推定するように構成している。一般的に言えば、位置決めマークは、線成分のペアを含む形態を有しており、これらの端点・交点等によって二次元位置を標示する機能を発揮する。この幾何学的特徴を利用することで、位置決めマークの形態が異なる場合であっても標示位置を精度よく検出可能であり、ページボックスを自動的に且つ精度よく設定できる。
【０００９】
また、上記線成分ペア決定部は、更に、２つの上記第１端点同士又は２つの上記第２端点同士の間の距離が閾値を下回る場合に上記線成分のペアとして決定することが好ましい。
【００１０】
また、上記線成分ペア決定部は、２つの上記特定の線成分が互いに平行である上記線成分のペアを決定することが好ましい。或いは、上記線成分ペア決定部は、２つの上記特定の線成分が互いに垂直である上記線成分のペアを決定することが好ましい。
【００１１】
また、上記ボックス位置取得部は、裁ち落とし領域及び／又は仕上がり領域を特定する上記ページボックスの上記位置情報を取得することが好ましい。
【００１２】
本発明に係る面付け方法は、ページの境界を特定するページボックスをページ領域毎に設定する方法であって、上記ページ領域の中から特定の線成分として、上記ページ領域の水平方向又は垂直方向に沿って延びる線成分を複数抽出する抽出ステップと、抽出された各上記特定の線成分の間の中から、位置決めマークに含まれ、且つ、２つの上記特定の線成分を構成する第１端点同士又は第２端点同士を結ぶ直線と上記水平方向とのなす角が４５度の位置関係にある線成分のペアを少なくとも１組決定する決定ステップと、決定された各上記線成分のペアの形状に基づいて上記位置決めマークの標示位置を推定する推定ステップと、推定された上記標示位置を上記ページボックスの位置情報として、上記ページ領域と対応付けて取得する取得ステップとをコンピュータに実行させる。
【００１３】
本発明に係る面付けプログラムは、ページの境界を特定するページボックスをページ領域毎に設定するためのプログラムであって、上記ページ領域の中から特定の線成分として、上記ページ領域の水平方向又は垂直方向に沿って延びる線成分を複数抽出する抽出ステップと、抽出された各上記特定の線成分の中から、位置決めマークに含まれ、且つ、２つの上記特定の線成分を構成する第１端点同士又は第２端点同士を結ぶ直線と上記水平方向とのなす角が４５度の位置関係にある線成分のペアを少なくとも１組決定する決定ステップと、決定された各上記線成分のペアの形状に基づいて上記位置決めマークの標示位置を推定する推定ステップと、推定された上記標示位置を上記ページボックスの位置情報として、上記ページ領域と対応付けて取得する取得ステップとをコンピュータに実行させる。
【発明の効果】
【００１４】
本発明に係る面付け装置、方法及びプログラムによれば、各特定の線成分の間の位置関係に基づいて、位置決めマークに含まれる線成分のペアを少なくとも１組決定し、各線成分のペアの形状に基づいて位置決めマークの標示位置を推定するように構成している。一般的に言えば、位置決めマークは、線成分のペアを含む形態を有しており、これらの端点・交点等によって二次元位置を標示する機能を発揮する。この幾何学的特徴を利用することで、位置決めマークの形態が異なる場合であっても、標示位置を精度よく検出可能であり、ページボックスを自動的に且つ精度よく設定できる。
【図面の簡単な説明】
【００１５】
【図１】この実施形態に係る面付け装置を組み込んだ印刷物生産システムの全体構成図である。
【図２】図１に示す面付け装置の電気的なブロック図である。
【図３】図１及び図２に示す面付け装置の動作説明に供されるフローチャートである。
【図４】図４Ａは、コンテンツデータが表すページ領域を可視化した概略正面図である。図４Ｂは、図４Ａのページ領域における各境界を特定する枠又は線の位置関係を示す模式図である。
【図５】ページボックスの設定画面を表す第１の画像図である。
【図６】ページボックスの設定画面を表す第２の画像図である。
【図７】図７Ａ〜図７Ｄは、典型的な位置決めマークの拡大平面図である。
【図８】ページボックスの位置情報を取得する方法に関する詳細フローチャートである。
【図９】図９は、図４Ａに示すページ領域の中から特定の線成分を抽出した結果を示す模式図である。
【図１０】図１０Ａは、各特定の線成分を特定する第１端点及び第２端点の座標を示す模式図である。図１０Ｂは、所定の規則に従って除外した結果を示す模式図である。
【図１１】１つの端点を通る直線における切片の算出方法に関する概略説明図である。
【図１２】図１１の算出方法を用いて得られた第１切片及び第２切片の模式図である。
【図１３】図１３Ａは、ページ領域の左下隅にある角トンボに含まれる、線成分のペアの決定方法を示す概略説明図である。図１３Ｂは、ページ領域の右上隅にある角トンボに含まれる、線成分のペアの決定方法に関する概略説明図である。
【図１４】図１４Ａ及び図１４Ｂは、線成分のペアの形状に基づく標示位置の推定方法に関する概略説明図である。
【発明を実施するための形態】
【００１６】
以下、本発明に係る面付け方法について、それを実施する面付け装置及び面付けプログラムとの関係において好適な実施形態を挙げ、添付の図面を参照しながら詳細に説明する。
【００１７】
［印刷物生産システム１０の全体構成］
図１は、この実施形態に係る面付け装置２０を組み込んだ印刷物生産システム１０の全体構成図である。
【００１８】
印刷物生産システム１０内には、ネットワーク１２との接続を中継する機器であるルータ１４と、外部ネットワークに属する図示しない各端末装置からネットワーク１２を介してアクセス可能なサーバ装置１６と、サーバ装置１６等から取得したデータの編集等を含むＤＴＰ（Desktop Publishing）処理を行うためのＤＴＰ端末１８と、ＤＴＰ端末１８により処理されたコンテンツデータを面付けする面付け装置２０と、面付け装置２０により面付けされた出力用データに基づいてラスタライズ処理や色変換処理等の各画像処理を実行するＲＩＰ装置２２と、ＲＩＰ装置２２から送信された校正用データに基づいてプルーフ２４を印刷可能である校正機２６と、ＲＩＰ装置２２から送信された製版用データに基づいて刷版２８を作製するプレートセッタ３０と、刷版２８を装着して印刷物３２を形成可能であるオフセット印刷機３４と、が設けられている。
【００１９】
サーバ装置１６は、印刷物生産システム１０におけるワークフロー管理の中核をなす装置である。サーバ装置１６は、ルータ１４及びネットワーク１２を介して、デザイナ及び／又は制作会社（いずれも図示しない）が備える各端末装置に通信可能に接続されている。また、サーバ装置１６は、印刷物生産システム１０内に構築されたＬＡＮ（Local Area Network）３６を介して、ＤＴＰ端末１８、面付け装置２０及びＲＩＰ装置２２に通信可能に接続されている。
【００２０】
すなわち、サーバ装置１６は、各種データファイルの格納・転送を司るファイルサーバとしての機能、各端末装置、各ユーザ、又は各印刷ジョブにおいて実行可能なタスク権限を管理する権限管理サーバとしての機能、又は、各工程の開始・終了等の所定のタイミングで通知メールを生成・配信するメールサーバとしての機能をそれぞれ実行可能に構成されている。
【００２１】
なお、ファイルサーバとして管理可能な各種データファイルには、例えば、コンテンツデータ、印刷用データ（例えば、製版用データ、刷版用データ、又は校正用データ）、ジョブチケット｛例えば、ＪＤＦ（Job Definition Format）ファイル｝、ＩＣＣ（International Color Consortium）プロファイル、色見本データ等が含まれる。
【００２２】
ＤＴＰ端末１８は、文字、図形、絵柄や写真等から構成されるコンテンツデータに対してプリフライト処理を施した後、ページ単位の画像データを作成する。面付け装置２０は、ジョブチケットのタグ情報を参照しながら、指定された綴じ方法や紙折り方法に応じた面付け処理を行う。
【００２３】
ＲＩＰ装置２２は、少なくとも１種の印刷機に対する印刷処理サーバとして機能する。図１例では、ＲＩＰ装置２２は、校正機２６と、プレートセッタ３０とに通信可能に接続されている。この場合、ＲＩＰ装置２２は、ページ記述言語で記述されたＰＤＬ形式のデータ（以下、ページ記述データともいう）を各出力デバイスに適した出力用データに変換し、該出力用データを校正機２６又はプレートセッタ３０に供給する。
【００２４】
校正機２６は、ＲＩＰ装置２２から供給された校正用データに基づいて、校正用紙３８（印刷媒体）上に画像が形成されたプルーフ２４を出力する。校正機２６として、ＤＤＣＰ（Direct Digital Color Proofing）、インクジェットカラープルーファ、低解像度のカラーレーザプリンタ（電子写真方式）又はインクジェットプリンタ等を用いてもよい。
【００２５】
オフセット印刷機３４は、刷版２８及び図示しない中間転写体を介して、インキを印刷用紙４０（印刷媒体）の片面又は両面に付着させることで、印刷用紙４０上に画像が形成された印刷物３２を出力する。なお、オフセット印刷機３４に代替して、ダイレクト印刷のためのデジタル印刷機を設けてもよい。デジタル印刷機としては、インクジェット印刷機、ワイドフォーマット印刷機、インクジェットカラープルーファ、カラーレーザプリンタ等を用いてもよい。
【００２６】
［面付け装置２０の電気的なブロック図］
図２は、図１に示す面付け装置２０の電気的なブロック図である。面付け装置２０は、基本的には、制御部５０と、通信Ｉ／Ｆ５２と、表示制御部５４と、表示部５６と、入力部５８と、メモリ６０（記憶媒体）とを備えるコンピュータである。
【００２７】
通信Ｉ／Ｆ５２は、外部装置からの電気信号を送受信するインターフェース（Ｉ／Ｆ）である。これにより、面付け装置２０は、各種データ（例えば、コンテンツデータ６２）をサーバ装置１６（図１）から取得可能であり、各種データ（例えば、面付けデータ６４）をサーバ装置１６に供給可能である。
【００２８】
表示制御部５４は、制御部５０の制御に従って、表示部５６を駆動制御する制御回路である。表示制御部５４が、図示しないＩ／Ｆを介して、表示制御信号を表示部５６に出力することで、表示部５６が駆動する。これにより、表示部５６は、ウィンドウＷ（図５及び図６）を含む各種画像を表示することができる。
【００２９】
メモリ６０は、制御部５０が各構成要素を制御するのに必要なプログラム及びデータ等を記憶している。本図例では、ＰＤＦ形式のコンテンツデータ６２及びＪＤＦ形式の面付けデータ６４がそれぞれ格納されている。
【００３０】
メモリ６０は、非一過性であり、且つ、コンピュータ読み取り可能な記憶媒体で構成されてもよい。ここで、コンピュータ読み取り可能な記憶媒体は、光磁気ディスク、ＲＯＭ、ＣＤ−ＲＯＭ、フラッシュメモリ等の可搬媒体、コンピュータシステムに内蔵されるハードディスク等の記憶装置である。また、この記憶媒体は、短時間に且つ動的にプログラムを保持するものであっても、一定時間プログラムを保持するものであってもよい。
【００３１】
制御部５０は、ＣＰＵ（Central Processing Unit）等のプロセッサによって構成されている。制御部５０は、メモリ６０に格納されたプログラムを読み出し実行することで、面付け処理部６６、表示用データ作成部６８、及びラスタライズ処理部７０の各機能を実現可能である。
【００３２】
面付け処理部６６は、予め取得したコンテンツデータ６２に基づき、後述するページボックスの設定値を含む面付けデータ６４を作成する。具体的には、面付け処理部６６は、プレビュー画像１２２（図５等）を逐次更新する画像更新部７２、ページ領域１００（図４Ａ等）の中から特定の線成分１７２（図１１）を抽出する線成分抽出部７４、線成分のペア１８０（図１４Ａ等）を決定する線成分ペア決定部７６、位置決めマーク１６１〜１６４（図７Ａ〜図７Ｄ）の標示位置１６６、１６８（同図）を推定する標示位置推定部７８、及び、フレーム画像１５０、１５２（図６）の位置に応じてページボックスの設定値を取得するボックス位置取得部８０を備える。
【００３３】
表示用データ作成部６８は、設定画面１２０（図５等）を作成する画面作成部８２及びプレビュー画像１２２（同図）を作成する画像作成部８４を備える。
【００３４】
ラスタライズ処理部７０は、面付け処理済みのページ記述データに対してラスタライズ処理を実行する。このラスタライズ処理には、ＰＤＬ形式からラスタ形式に変換するデータ形式変換処理と、ＩＣＣプロファイルを用いたカラーマッチング処理とが含まれる。
【００３５】
入力部５８は、マウス、トラックボール、キーボード、タッチセンサ等の種々の入力デバイスで構成される。表示部５６による表示機能及び入力部５８による入力機能を組み合わせることでユーザ・インターフェースを実現する。この場合、入力部５８は、フレーム画像１３０等の相対的な位置・サイズの変更及び該変更の停止を指示する画像変更指示部８６、プレビュー画像１２２の表示形態を指示する表示形態指示部８８として機能する。
【００３６】
［面付け装置２０の動作］
この実施形態に係る面付け装置２０は、以上のように構成される。続いて、図１及び図２に示す面付け装置２０の動作について、図３のフローチャートを主に参照しながら詳細に説明する。先ず、本発明の理解に必要な用語である「ページボックス」について定義する。
【００３７】
ＰＤＦには、プリプレス制作ワークフローを支援するため、ページボックスを設定可能に構成されている。ここで、「ページボックス」とは、ページの境界を定義するパラメータであり、ＭｅｄｉａＢｏｘ、ＢｌｅｅｄＢｏｘ、ＣｒｏｐＢｏｘ、ＴｒｉｍＢｏｘ及びＡｒｔＢｏｘの５種類が用意されている。
【００３８】
なお、「ＭｅｄｉａＢｏｘ」（メディアサイズ）は、ページの印刷先となる物理媒体の出力可能な最大領域を定義する。また、「ＢｌｅｅｄＢｏｘ」（裁ち落としサイズ）は、制作環境での出力時にページの内容がクリッピングされることになる領域を定義する。また、「ＣｒｏｐＢｏｘ」（トリミングサイズ）は、ページの内容が出力されるときにクリッピングされる領域を定義する。また、「ＴｒｉｍＢｏｘ」（仕上がりサイズ）は、トリミング後の完成ページで意図する寸法を定義する。また、「ＡｒｔＢｏｘ」（アートサイズ）は、作成者が意図するページの中の、意味がある内容の範囲を定義する。
【００３９】
コンテンツデータ６２の創作者であるデザイナは、電子データの入稿の際に、画像のレイアウトに適した「ページボックス」の各値を予め入力しておく。例えば、この入力が行われなかった場合、通常、デフォルト値が設定されている。そこで、作業者は、ページボックスに正しい値が設定されているか否かを確認し、必要に応じて設定値を修正する必要がある。そこで、この実施形態では、ユーザとしての作業者の操作に応じて、ページボックスの設定値を自動的に調整する機能を提供する。
【００４０】
図３のステップＳ１において、面付け処理部６６は、面付け対象であるコンテンツデータ６２をメモリ６０等から読み出して取得する。
【００４１】
図４Ａは、コンテンツデータ６２が表すページ領域１００を可視化した概略正面図である。矩形状のページ領域１００の上には、電子機器の斜視図を示すコンテンツ画像１０２、４つの角トンボ１０４ａ〜１０４ｄ、及び４つの中央トンボ１０６ａ〜１０６ｄがそれぞれ配置されている。
【００４２】
図４Ｂは、図４Ａのページ領域１００における各境界を特定する枠又は線の位置関係を示す模式図である。ページ領域１００全体の境界であるページ外枠１０８の中には、基準枠１１０、１１２、及び基準線１１４、１１６が存在する。基準枠１１０は、二重の角トンボ１０４ａ〜１０４ｄが標示する１点（２つのＬ字状マークの交点）をそれぞれ結んだ矩形状の枠である。基準枠１１２は、二重の角トンボ１０４ａ〜１０４ｄが標示する別の１点（外接四角形の頂点であってＬ字の頂角側）をそれぞれ結んだ矩形状の枠である。基準線１１４は、中央トンボ１０６ａ、１０６ｂの重心位置を結んだ縦方向に延びる直線である。基準線１１６は、中央トンボ１０６ｃ、１０６ｄの重心位置を結んだ横方向に延びる直線である。
【００４３】
ステップＳ２において、画像作成部８４は、ステップＳ１で取得されたコンテンツデータ６２に基づき、プレビュー画像１２２（図５等参照）を作成する。なお、プレビュー画像１２２の具体的な形態に関しては後述する。
【００４４】
ステップＳ３において、面付け装置２０は、ページボックスの設定に供される設定画面１２０の表示を行う。設定を開始する旨の指示に応じて、画面作成部８２は、設定画面１２０（プレビュー画像１２２を含む）の表示用データを作成した後、該表示用データを表示制御部５４に供給する。そして、表示制御部５４は、ウィンドウＷ（設定画面１２０を含む）を表示部５６に表示させる。
【００４５】
図５に示すように、設定画面１２０上には、プレビュー画像１２２、設定欄１２４、及び［閉じる］［保存］と表記されたボタン群１２６が配置されている。作業者は、入力部５８（図２）を操作させながら、プレビュー画像１２２又は設定欄１２４を介して各種設定を行うことができる。
【００４６】
プレビュー画像１２２は、ページ領域１００（図４Ａ）に配置するページ画像１２８に、該ページ画像１２８上でのページボックスの位置を示すフレーム画像１３０を重ねた画像である。フレーム画像１３０は、各設定値に対応する位置にそれぞれ、ページボックスの種類毎に異なる表示形態にて表示される。本図例では、ページボックスの設定値はすべて同じであるため、実質的に１つのフレーム画像１３０が表記されている。プレビュー画像１２２上には、更に、縦方向に沿った中心線１３２、横方向に沿った中心線１３４が重ねて表示されている。破線で示された２本の中心線１３２、１３４は、フレーム画像１３０の中心位置で交差している。
【００４７】
プレビュー画像１２２の上方には、複数のツールアイコンで構成されたアイコン群１３５が配置されている。アイコン群１３５は、プレビュー画像１２２の表示形態を指示する表示形態指示部８８（図２）として機能する。すなわち、アイコン群１３５を介した操作に応じて、プレビュー画像１２２の回転、移動、反転又は拡大・縮小を含む種々の表示形態を実現できる。
【００４８】
設定欄１２４には、ページボックスの一覧表１３６、［自動設定］と表記されたボタン１３８、２つのプルダウンメニュー１４０、１４２、１つのテキストボックス群１４４、１つの欄１４６、及びプルダウンメニュー１４８が配置されている。
【００４９】
一覧表１３６には、左側から右側にわたって、ページボックスの「名称」、左右方向（Ｘ軸）座標の最小値に相当する「左」、上下方向（Ｙ軸）座標の最小値に相当する「下」、左右方向（Ｘ軸）座標の最大値に相当する「右」、上下方向（Ｙ軸）座標の最大値に相当する「上」の各項目が表記されている。例えば、フレーム画像１３０及び一覧表１３６の表示色をページボックスの種類毎に統一させることで、作業者は、ページボックスの現在の位置及び設定値について一見して把握できる。
【００５０】
プルダウンメニュー１４０は、中心線１３２、１３４の基準となるページボックスの種類（本図例では「メディアボックス」）を択一的に設定するためのコントロールである。プルダウンメニュー１４２は、メディアボックスの大きさ（本図例では「菊判」）を設定するためのコントロールである。
【００５１】
テキストボックス群１４４は、ページボックスの位置を設定するためのコントロールである。作業者は、テキストボックス群１４４を介して、一覧表１３６と同様に定義される「左」「下」「右」「上」の各値（単位：ｍｍ）をテキスト入力できる。また、テキストボックス群１４４の入力値はフレーム画像１３０の位置に連動しており、一方の変更に追従して他方も変更される。
【００５２】
欄１４６には、ページボックスの幅及び高さ（単位：ｍｍ）がそれぞれ表示される。すなわち、幅の表示値（６６８．９８）は「右（６６８．９８）」−「左（０．００）」により算出されると共に、高さの表示値（９１５．５９）は「上（９１５．５９）」−「下（０．００）」により算出される。
【００５３】
なお、一覧表１３６が表す５つの行のうちの１つには、選択枠１４９が付されている。この選択枠１４９に囲まれた種類、すなわち「仕上がりサイズ」の設定が有効になっている。すなわち、「仕上がりサイズ」の現在の設定値が、テキストボックス群１４４及び欄１４６に表示されている。また、この設定値に基づいて中心線１３２、１３４の位置が決められている。
【００５４】
ステップＳ４において、作業者は、図５のプレビュー画像１２２を視認しながら、ページボックスの位置調整が必要であるか否かを判断する。図５例では、ページボックスの設定値は適切な設定値ではないので、位置調整が必要であると判断し（ステップＳ４：ＹＥＳ）、次のステップ（Ｓ５）に進む。
【００５５】
ステップＳ５において、面付け処理部６６は、図５の設定画面１２０上にある［自動設定］ボタン１３８のクリック操作があったか否かを判定する。操作がないと判定された場合は、通常の処理動作を実行した後（ステップＳ６）にステップＳ４に戻る。一方、操作があったと判定された場合は、ステップＳ７に進む。
【００５６】
ステップＳ７において、面付け処理部６６は、ステップＳ１で取得されたコンテンツデータ６２を解析することで、特定種類のページボックスの位置情報を算出する。この算出方法については後述する。
【００５７】
ステップＳ８において、面付け装置２０は、ステップＳ７にて算出された位置情報に応じてプレビュー画像１２２の更新を行う。ここで、画像更新部７２は、ページボックスの位置情報を取得し、該位置情報を画像作成部８４に供給することで、プレビュー画像１２２の更新を指示する。その後、画像作成部８４は、供給された位置情報に基づいて、フレーム画像１３０を移動又は変形させた形態を示すプレビュー画像１２２を新たに作成する。これにより、面付け装置２０は、位置及び／又はサイズの変更に追従したフレーム画像１５０等を表示する。
【００５８】
図６は、ページボックスの設定画面１２０を表す第２の画像図である。この設定画面１２０は、「仕上がりサイズ」を示すフレーム画像１５０、「裁ち落としサイズ」を示すフレーム画像１５２がそれぞれ調整されている点で図５の画面と異なる。フレーム画像１５０、１５２の位置及び／又はサイズの調整が行われた結果、一覧表１３６（特に選択枠１４９内の値）、テキストボックス群１４４、及び欄１４６に表記された各値が変更されている。
【００５９】
なお、プルダウンメニュー１４８は、現在の設定値を、どのページ領域（ページ領域１００を含む）に設定するかを選択するコントロールである。例えば、「すべて」、「奇数」、「偶数」又は「範囲指定」（該当ページのみを含む）のうちいずれかを選択できる。
【００６０】
ステップＳ６又はステップＳ８が実行された後、ステップＳ４に戻って、以下、ステップＳ４〜Ｓ８にてページボックスの位置調整を必要に応じて継続する。この調整処理に際し、上記のように自動的に調整する形態に限られず、例えば、作業者によるマニュアル操作を介して調整する手法を採用できることは言うまでもない。ステップＳ４において、ページボックスの位置調整が必要でないと判定された場合（ステップＳ４：ＮＯ）、ステップＳ９に進む。
【００６１】
ステップＳ９において、面付け処理部６６は、ページボックスの設定値を更新することで面付けデータ６４を作成する。作成に先立ち、ボックス位置取得部８０は、設定画面１２０にて設定されたページボックスの位置情報を、ページ領域１００に対応付けて取得する。例えば、複数のページ領域が存在する場合、プレビュー画像１２２の表示対象ではない少なくとも１つのページ領域に更に対応付けて取得してもよい。
【００６２】
そして、面付け処理部６６は、ボックス位置取得部８０により取得された位置情報を含む面付けデータ６４を作成し、メモリ６０に格納・保存させる。なお、面付け装置２０は、その後に、サーバ装置１６に保管させるため、面付けデータ６４を通信Ｉ／Ｆ５２を介して外部に送出してもよい。
【００６３】
［位置情報の算出処理］
続いて、ページボックスの位置情報の算出処理（図３のステップＳ７）について、図７Ａ〜図１３Ｂを参照しながら説明する。
【００６４】
図７Ａ〜図７Ｄは、典型的な位置決めマーク１６１〜１６４の拡大平面図である。位置決めマーク１６１（図７Ａ）、１６２（図７Ｂ）、１６３（図７Ｃ）はそれぞれ、２本の垂直線及び２本の水平線から構成される。一方、位置決めマーク１６４（図７Ｄ）は、１本の垂直線及び１本の水平線から構成される。
【００６５】
位置決めマーク１６１〜１６４はいずれも、２つの特徴点１６５Ａ、１６５Ｂの位置関係に基づいて、丸印で囲む２箇所の位置（以下、標示位置１６６、１６８という）を標示する。標示位置１６６は仕上がり領域を特定する１つの頂点に相当し、標示位置１６８は裁ち落とし領域を特定する１つの頂点に相当する。図７Ａ〜図７Ｄから理解されるように、特徴点１６５Ａ、１６５Ｂはいずれも、標示位置１６６、１６８を結ぶ軸１７０に対して線対称の位置関係下にある。なぜならば、一般的には、裁ち落とし幅（ブリード幅ともいう）は、水平方向及び垂直方向ともに同じ値に設定されるからである。
【００６６】
この幾何学的な特徴を利用することで、位置決めマーク１６１〜１６４の形態が異なる場合であっても、その標示位置１６６、１６８を精度よく検出可能である。以下、この算出処理を実行する面付け処理部６６の動作について、図８のフローチャートを参照しながら詳細に説明する。
【００６７】
ステップＳ７１において、線成分抽出部７４は、ページ領域１００の中から特定の線成分１７２を複数抽出する。特定の線成分１７２とは、特定の色を有しており、且つ、特定方向に沿って延びる線成分を意味する。線成分抽出部７４は、例えば、ソリッドカラー（階調レベル１００％の単色）であって、垂直方向又は水平方向に沿って延びる線成分をそれぞれ抽出する。
【００６８】
図９は、図４Ａに示すページ領域１００の中から特定の線成分１７２を抽出した結果を示す模式図である。本図から理解されるように、４つの角トンボ１０４ａ〜１０４ｄの他、４つの中央トンボ１０７ａ〜１０７ｄ（中央トンボ１０６ａ〜１０６ｄの一部）を構成する各成分、すなわち特定の線成分１７２が抽出される。中央トンボ１０７ａは、２つの特定の線成分１７２、１７２、より詳細には、１つの長い水平線成分及び１つの短い垂直線成分から構成される。
【００６９】
その後、線成分抽出部７４は、各特定の線成分１７２における端点１７４、１７６の座標（ｘ，ｙ）をそれぞれ取得しておく。以下、ページ領域１００の左下隅を原点Ｏ、その水平方向をＸ軸、その垂直方向をＹ軸として定義する。
【００７０】
図１０Ａは、各特定の線成分１７２における第１端点及び第２端点の座標を示す模式図である。ここで、第１端点は、２つの端点１７４、１７６のうち原点Ｏから近い方の端点１７４である。一方、第２端点は、２つの端点１７４、１７６のうち原点Ｏから遠い方の端点１７６である。
【００７１】
本図に示すように、ページ領域１００（図４Ａ）の中から１２個の「垂直線成分」及び１２個の「水平線成分」がそれぞれ抽出される。この抽出処理の際、各特定の線成分１７２がどのトンボを構成するかについて検知する必要がない点に留意する。
【００７２】
図８のステップＳ７２において、線成分ペア決定部７６は、ステップＳ７１で抽出された各特定の線成分１７２の間の位置関係に基づいて、線成分のペア１８０を少なくとも１組決定する。線成分ペア決定部７６による演算処理は、［１］単独の成分の除外、［２］評価値の算出、及び［３］ペアの決定、の３つのステップに分類される。
【００７３】
［１］先ず、線成分ペア決定部７６は、端点１７４、１７６の座標を参照し、位置決めマーク１６１〜１６４を構成し得ない単独の成分のみを予め除外する。具体的には、線成分ペア決定部７６は、ｘ座標が一致する端点１７４が１つも存在しない「垂直線成分」、及び、ｙ座標が一致する端点１７４が１つも存在しない「水平線成分」を除外する。その結果、図１０Ｂの上段に示すように、２つの特定の線成分１７２、１７２、すなわち、中央トンボ１０７ｃの垂直線成分と、中央トンボ１０７ｄの垂直線成分がそれぞれ除外される。同様に、図１０Ｂの下段に示すように、２つの特定の線成分１７２、１７２、すなわち、中央トンボ１０７ａの水平線成分と、中央トンボ１０７ｂの水平線成分がそれぞれ除外される。
【００７４】
［２］次いで、線成分ペア決定部７６は、除外されずに残った各特定の線成分１７２のうち、２つの一端点が軸１７０に対して線対称であるペア（線成分のペア１８０）を決定するための評価値を算出する。この軸１７０は、水平方向（Ｘ軸）及び垂直方向（Ｙ軸）から４５度傾斜して延びる軸線である。
【００７５】
線対称性を判別する方法として、代数学的手法、幾何学的手法を含む種々のアルゴリズムを採用できる。幾何学的手法として、例えば、特定の線成分１７２を軸１７０に対して反転させた上で、一端点の位置が重なる線成分のペア１８０が存在するか否かで判別してもよい。以下、代数学的手法の好ましい一形態について、図１１〜図１３Ｂを参照しながら詳細に説明する。概略的には、線成分ペア決定部７６は、２つの特定の線成分１７２、１７２の一端点（端点１７４又は端点１７６）が、軸１７０に直交する共通の直線１７８上に存在する場合に、軸１７０に対して線対称であると判別する。換言すれば、線成分ペア決定部７６は、２つの特定の線成分１７２、１７２の一端点を結ぶ直線とＸ軸（又はＹ軸）のなす角が４５度である線成分のペア１８０を決定する。
【００７６】
図１１は、１つの端点１７４、１７６を通る直線１７８における切片ｂの算出方法を示す概略説明図である。ここで、直線１７８は、ＸＹ座標上での傾きが１である軸１７０に直交し、関数式がｙ＝−ｘ＋ｂ（ｂは、任意の実数）で与えられる直線である。ここで、直線１７８が通る各点（端点１７４、１７６）の座標は既知であるため、未知数としての切片ｂを一意に求めることができる。
【００７７】
図１２は、図１１の算出方法を用いて得られた第１切片及び第２切片の模式図である。ここで、第１切片は、第１端点（端点１７４）を通る直線１７８の切片ｂである。一方、第２切片は、第２端点（端点１７６）を通る直線１７８の切片ｂである。
【００７８】
［３］次いで、線成分ペア決定部７６は、算出された評価値（切片ｂ）から線成分のペア１８０を決定する。この決定方法について図１３Ａ及び図１３Ｂを参照しながら説明する。
【００７９】
図１３Ａは、ページ領域１００の左下隅にある角トンボ１０４ｄに含まれる、線成分のペア１８０の決定方法に関する概略説明図である。本図は、図１２に示す「垂直線成分」のデータ一覧に対して、「第１切片の昇順」に並び替えた結果に相当する。
【００８０】
具体的には、線成分ペア決定部７６は、（１）特定の線成分１７２、１７２間にて切片ｂが等しいか或いは許容差範囲（例えば、２ｍｍ）以内であり、（２）第２端点同士（端点１７６、１７６間）の距離が閾値（例えば、１０ｍｍ）を下回り、且つ、（３）切片ｂが最小値である２つの特定の線成分１７２、１７２を、線成分のペア１８０として決定する。
【００８１】
そして、線成分ペア決定部７６は、線成分のペア１８０のうち、ｘ座標が小さい方（ページ領域１００の外寄り）を「裁ち落とし線１７２ｂ」として、ｘ座標が大きい方（ページ領域１００の内寄り）を「仕上がり線１７２ｔ」としてそれぞれ識別する。
【００８２】
すなわち、裁ち落とし線１７２ｂの第１端点の座標は（２８．３４，８．５０）であり、第２端点の座標は（２８．３４，３６．８４）である。また、仕上がり線１７２ｔの第１端点の座標は（３６．８５，０）であり、第２端点の座標は（３６．８５，２８．３４）である。
【００８３】
図１３Ｂは、ページ領域１００の右上隅にある角トンボ１０４ｂに含まれる、線成分のペア１８０の決定方法に関する概略説明図である。本図は、図１２に示す「垂直線成分」のデータ一覧に対して、「第２切片の昇順」に並び替えた結果に相当する。
【００８４】
具体的には、線成分ペア決定部７６は、（１）特定の線成分１７２、１７２間にて切片ｂが等しいか或いは許容差範囲以内であり、（２）第１端点同士（端点１７４、１７４間）の距離が閾値（例えば、１０ｍｍ）を下回り、且つ、（３）切片ｂが最大値である２つの特定の線成分１７２、１７２を、線成分のペア１８０として決定する。
【００８５】
そして、線成分ペア決定部７６は、線成分のペア１８０のうち、ｘ座標が大きい方（ページ領域１００の外寄り）を「裁ち落とし線１７２ｂ」として、ｘ座標が小さい方（ページ領域１００の内寄り）を「仕上がり線１７２ｔ」としてそれぞれ識別する。
【００８６】
すなわち、裁ち落とし線１７２ｂの第１端点の座標は（６４０．６３，８７８．７４）であり、第２端点の座標は（６４０．６３，９０７．０８）である。また、仕上がり線１７２ｔの第１端点の座標は（６３２．１２，８８７．２４）であり、第２端点の座標は（６３２．１２，９１５．５９）である。
【００８７】
このようにして、線成分ペア決定部７６は、各垂直線成分の間の位置関係に基づいて、角トンボ１０４ｂ、１０４ｄにそれぞれ含まれる線成分のペア１８０、１８０を２つ決定する。これと併せて又はこれとは別に、線成分ペア決定部７６は、各水平線成分の間の位置関係に基づいて、角トンボ１０４ｂ、１０４ｄにそれぞれ含まれる線成分のペア１８０、１８０を２つ決定する。
【００８８】
なお、上記した例によれば、線成分ペア決定部７６は、２つの特定の線成分１７２、１７２が互いに平行である線成分のペア１８０を決定しているが、この手法に限られない。具体的には、線成分ペア決定部７６は、２つの特定の線成分１７２、１７２が互いに垂直である線成分のペア１８０を決定してもよい。これにより、検出可能とする形態のバリエーション（例えば、図７Ｄの位置決めマーク１６４）が増加する。
【００８９】
図８のステップＳ７３において、標示位置推定部７８は、ステップＳ７２で決定された線成分のペア１８０の形状に基づいて、位置決めマーク１６１〜１６４の標示位置１６６、１６８を推定する。
【００９０】
図１４Ａ及び図１４Ｂは、線成分のペア１８０の形状に基づく標示位置１６６、１６８の推定方法に関する概略説明図である。
【００９１】
図１４Ａは、垂直方向に延びる線成分のペア１８０での推定方法に関する。線成分のペア１８０は、端点１７６ｂの座標が（ｘ１，ｙ１）である裁ち落とし線１７２ｂ、端点１７６ｔの座標が（ｘ２，ｙ２）である仕上がり線１７２ｔから構成される。このとき、標示位置１６６の座標は（ｘ２，ｙ１）と推定されると共に、標示位置１６８の座標は（ｘ１，ｙ２）と推定される。
【００９２】
図１４Ｂは、水平方向に延びる線成分のペア１８０での推定方法に関する。線成分のペア１８０は、端点１７６ｂの座標が（ｘ２，ｙ２）である裁ち落とし線１７２ｂ、端点１７６ｔの座標が（ｘ１，ｙ１）である仕上がり線１７２ｔから構成される。このとき、標示位置１６６の座標は（ｘ２，ｙ１）と推定されると共に、標示位置１６８の座標は（ｘ１，ｙ２）と推定される。
【００９３】
このようにして、標示位置推定部７８は、線成分のペア１８０の形状に基づいて、２つの隅部にある角トンボ１０４ｄの標示位置１６６、１６８をそれぞれ推定する。
【００９４】
なお、図７Ａに示す位置決めマーク１６１に関し、図１４Ａ及び図１４Ｂに示す線成分のペア１８０のうちいずれか一方を用いて、標示位置１６６、１６８を推定できる。これに対して、位置決めマーク１６２（図７Ｂ）、１６３（図７Ｃ）に関し、垂直方向及び水平方向における線成分のペア１８０を両方用いることで、標示位置１６６、１６８を推定できる点に留意する。また、位置決めマーク１６４（図７Ｄ）に関し、１つの垂直線成分及び１つ水平線成分を組み合わせて線成分のペア１８０とすることで、標示位置１６６、１６８を推定できる点に留意する。
【００９５】
図８のステップＳ７４において、ボックス位置取得部８０は、ステップＳ７３で推定された標示位置１６６、１６８に基づいて、特定種類のページボックスの位置情報を一時的に取得する。具体的には、ボックス位置取得部８０は、標示位置１６６を示す２つの座標から、「仕上がり領域」を特定する４つのパラメータ（「左」「下」「右」「上」の各値）を取得する。これと併せて又はこれとは別に、ボックス位置取得部８０は、標示位置１６８を示す２つの座標から、「裁ち落とし領域」を特定する４つのパラメータ（「左」「下」「右」「上」の各値）を取得する。
【００９６】
以上のようにして、面付け処理部６６は、ページボックスの位置情報を自動的に算出する（図３のステップＳ７参照）。
【００９７】
［この実施形態の効果］
この実施形態に係る面付け装置２０は、ページの境界を特定するページボックスをページ領域１００毎に設定する装置である。そして、面付け装置２０は、ページ領域１００の中から特定の線成分１７２を複数抽出する線成分抽出部７４と、各線成分１７２の間の位置関係に基づいて、位置決めマーク１６１〜１６４に含まれる線成分のペア１８０を少なくとも１組決定する線成分ペア決定部７６と、各線成分のペア１８０の形状に基づいて位置決めマーク１６１〜１６４の標示位置１６６、１６８を推定する標示位置推定部７８と、標示位置１６６、１６８をページボックスの位置情報として、ページ領域１００と対応付けて取得するボックス位置取得部８０を備える。
【００９８】
このように、各特定の線成分１７２の間の位置関係に基づいて、位置決めマーク１６１〜１６４に含まれる線成分のペア１８０を少なくとも１組決定し、各線成分のペア１８０の形状に基づいて位置決めマーク１６１〜１６４の標示位置１６６、１６８を推定するように構成している。一般的に言えば、位置決めマーク１６１〜１６４は、線成分のペア１８０を含む形態を有しており、これらの端点・交点等によって二次元位置を標示する機能を発揮する。この幾何学的特徴を利用することで、位置決めマーク１６１〜１６４の形態が異なる場合であっても標示位置１６６、１６８を精度よく検出可能であり、ページボックスを自動的に且つ精度よく設定できる。
【００９９】
なお、この発明は、上述した実施形態に限定されるものではなく、この発明の主旨を逸脱しない範囲で自由に変更できることは勿論である。
【符号の説明】
【０１００】
１０…印刷物生産システム                  １６…サーバ装置
１８…ＤＴＰ端末                          ２０…面付け装置
２２…ＲＩＰ装置                          ２４…プルーフ
２６…校正機                              ２８…刷版
３２…印刷物                              ３４…オフセット印刷機
３８…校正用紙                            ４０…印刷用紙
５０…制御部                              ６０…メモリ
６２…コンテンツデータ                    ６４…面付けデータ
６６…面付け処理部                        ７２…画像更新部
７４…線成分抽出部                        ７６…線成分ペア決定部
７８…標示位置推定部                      ８０…ボックス位置取得部
１００…ページ領域                        １０２…コンテンツ画像
１０４ａ〜１０４ｄ…角トンボ              
１０６ａ〜１０６ｄ、１０７ａ〜１０７ｄ…中央トンボ
１１０、１１２…基準枠                    １１４、１１６…基準線
１２０…設定画面                          １２２…プレビュー画像
１６１〜１６４…位置決めマーク            １６６、１６８…標示位置
１７０…軸                                １７２…特定の線成分
１７２ｂ…裁ち落とし線                    １７２ｔ…仕上がり線
１７４、１７６（ｂ、ｔ）…端点            １８０…線成分のペア
【図１】
0005940512.tif 000002
【図２】
0005940512.tif 000003
【図３】
0005940512.tif 000004
【図４】
0005940512.tif 000005
【図５】
0005940512.tif 000006
【図６】
0005940512.tif 000007
【図７】
0005940512.tif 000008
【図８】
0005940512.tif 000009
【図９】
0005940512.tif 000010
【図１０】
0005940512.tif 000011
【図１１】
0005940512.tif 000012
【図１２】
0005940512.tif 000013
【図１３】
0005940512.tif 000014
【図１４】
0005940512.tif 000015